(57)【要約】      （修正有）【課題】カメラを搭載した電子機器において、ユーザに操作上の煩わしさを与えることなく、ユーザのプライバシーを十分に保護する技術を提供する。【解決手段】シャッター機構１００は、カメラのレンズの受光を遮蔽する第１位置と、カメラのレンズの受光を遮蔽しない第２位置との間を移動可能に配置されるプレート４０と、第１ワイヤー９０ａ又は第２ワイヤー９０ｂを熱収縮させる電力装置の電力を制御する制御部とを備え、制御部は、第１ワイヤーを熱収縮させて第１操作レバーを駆動させることにより、第１操作レバーでプレートを第１位置から第２位置へ移動させるように制御し、プレートが第２位置に位置するときに、第２ワイヤーを熱収縮させて第２操作レバーを駆動させることにより、第２操作レバーの被係合部にプレートの係合部を係合させた状態を解除して、第１スプリング５０の付勢力によりプレートを第２位置から第１位置へ移動させるように制御する。【選択図】図５
2020112627.tif 000002
【特許請求の範囲】
【請求項１】
筐体と、
前記筐体に配置されたカメラと、
前記カメラのレンズの受光を遮蔽可能なシャッター機構と、を備え、
前記シャッター機構は、
前記レンズの受光を遮蔽する第１位置と、前記レンズの受光を遮蔽しない第２位置と、の間を移動可能に配置されるプレートと、
前記プレートに接続され、前記第１位置から前記第２位置へ前記プレートが移動するに伴い伸長して第１位置へ戻す方向への付勢力を発生する第１スプリングと、
前記プレートを前記第１位置から前記第２位置まで移動させるように駆動する第１操作レバーと、
前記第１操作レバーの駆動による前記プレートの移動に連動し、前記プレートが前記第２位置まで移動したときに前記プレートの係合部に係合する被係合部を有する第２操作レバーと、
前記第２操作レバーに接続され、前記第１位置からの前記プレートの移動に伴い弾性変形して付勢力を蓄積し、前記第２位置に前記プレートが移動したときに前記第２操作レバーを前記プレート側に付勢させて前記第２操作レバーの前記被係合部に前記プレートの前記係合部を係合させた状態を保持する第２スプリングと、
前記第１操作レバーに一端が接続された熱収縮性を有するワイヤーであって、熱収縮することにより前記第１操作レバーを駆動させる第１ワイヤーと
前記第２操作レバーに一端が接続された熱収縮性を有するワイヤーであって、熱収縮することにより前記第２操作レバーを駆動させる第２ワイヤーと、
前記第１ワイヤーを熱収縮させて前記第１操作レバーを駆動させることにより、前記第１操作レバーで前記プレートを前記第１位置から前記第２位置へ移動させるように制御し、前記プレートが前記第２位置に位置するときには、前記第２ワイヤーを熱収縮させて前記第２操作レバーを駆動させることにより、前記第２操作レバーの前記被係合部に前記プレートの前記係合部を係合させた状態を解除して、前記第１スプリングの付勢力により前記プレートを前記第２位置から前記第１位置へ移動させるように制御する制御装置と、
を有する、電子機器。
【請求項２】
前記第１位置又は前記第２位置に前記プレートが位置するか否かを検出する検出装置を備え、
前記電子機器の起動時に、前記プレートが前記第１位置に位置することが前記検出装置により検出されたとき、前記制御装置は、前記第１ワイヤーを熱収縮させ、
前記電子機器の終了時に、前記プレートが前記第２位置に位置することが前記検出装置により検出されたとき、前記制御装置は、前記第２ワイヤーを熱収縮させる、
請求項１に記載の電子機器。
【請求項３】
前記第１位置又は前記第２位置に前記プレートが位置するか否かを検出する検出装置を備え、
前記カメラの起動時に、前記プレートが前記第１位置に位置することが前記検出装置により検出されたとき、前記制御装置は、前記第１ワイヤーを熱収縮させ、
前記カメラの終了時に、前記プレートが前記第２位置に位置することが前記検出装置により検出されたとき、前記制御装置は、前記第２ワイヤーを熱収縮させる、
請求項１又は２に記載の電子機器。
【請求項４】
前記プレートは、前記筐体に固定された固定部材を回転中心として、前記第１位置から前記第２位置まで回動可能に構成されている、
請求項１乃至３のいずれか一項に記載の電子機器。
【請求項５】
前記プレートは、前記第１位置に移動したときに前記カメラのレンズの受光を遮蔽する遮蔽板と、前記第２位置に移動したときに前記カメラのレンズを露出させる開口部と、を有する、
請求項１乃至４のいずれか一項に記載の電子機器。
【請求項６】
前記第１スプリングは、一端側が前記筐体に固定されると共に他端側が前記プレートに形成された貫通孔に係合され、前記第１操作レバーにより前記プレートが前記第１位置から移動すると、前記第１位置に戻す方向へ付勢する付勢力を発生する、
請求項１乃至５のいずれか一項に記載の電子機器。
【請求項７】
前記第１操作レバーは、前記筐体に固定された固定部材を回転中心として回動可能に構成され、
前記第２操作レバーは、前記筐体に固定された固定部材を回転中心として回動可能に構成されている、
請求項１乃至６のいずれか一項に記載の電子機器。
【請求項８】
前記第２操作レバーの駆動を規制するロック機構が、前記シャッター機構に並設されている、
請求項１乃至７のいずれか一項に記載の電子機器。
【発明の詳細な説明】
【技術分野】
【０００１】
本発明は、電子機器に関する。
【背景技術】
【０００２】
ラップトップ型コンピュータ（以下、「ラップトップ」という）やスマートフォン等の電子機器にカメラを内蔵する技術が知られている（例えば特許文献１参照）。この種の内蔵カメラは、ビデオチャットのためのＷｅｂカメラとして利用するのに便利である。
【０００３】
一方で、カメラが内蔵された電子機器では、ラップトップ等を使用中のユーザが、ネットワークを介して第三者に盗撮されるおそれがある。また、スマートフォン等を使用中のユーザがＷｅｂ閲覧等をしているにすぎないにもかかわらず、スマートフォン背面のカメラが偶然に第三者に向けられている場合には、当該ユーザが盗撮をしているのではないかと第三者から疑いをかけられるおそれもある。
【０００４】
これらの問題を解決するために、カメラを物理的に覆うための外付けのアクセサリーとして、カメラカバーの開発が進められている。例えば、ある種のカメラカバーは、ディスプレイの上部に取付けられ、カメラを覆う位置（以下、閉状態）とカメラを覆わない位置（以下、開状態）との間でスライドできるように構成されている。
【先行技術文献】
【特許文献】
【０００５】
【特許文献１】特開２０１６−２１２５９号公報
【発明の概要】
【発明が解決しようとする課題】
【０００６】
上記カメラカバーによってカメラを物理的に覆うことができるものの、カメラの使用前後において、ユーザがカメラカバーを開状態と閉状態との間でスライドさせる必要があり、操作が面倒である。また、カメラの使用後において、ユーザがカメラカバーを操作して閉状態にスライドさせることを忘れることもあり、この場合、ネットワークを介して第三者にハッキングされたときに、ユーザのプライバシーを十分に保護することができないおそれがある。
【０００７】
そこで、本発明は、カメラを搭載した電子機器において、ユーザに操作上の煩わしさを与えることなく、ユーザのプライバシーを十分に保護することができる技術を提供することを目的とする。
【課題を解決するための手段】
【０００８】
本発明の一態様に係る電子機器は、筐体と、筐体に配置されたカメラと、カメラのレンズの受光を遮蔽可能なシャッター機構と、を備え、シャッター機構は、レンズの受光を遮蔽する第１位置と、レンズの受光を遮蔽しない第２位置と、の間を移動可能に配置されるプレートと、プレートに接続され、第１位置から第２位置へプレートが移動するに伴い伸長して第１位置へ戻す方向への付勢力を発生する第１スプリングと、プレートを第１位置から第２位置まで移動させるように駆動する第１操作レバーと、第１操作レバーの駆動によるプレートの移動に連動し、プレートが第２位置まで移動したときにプレートの係合部に係合する被係合部を有する第２操作レバーと、第２操作レバーに接続され、第１位置からのプレートの移動に伴い弾性変形して付勢力を蓄積し、第２位置にプレートが移動したときに第２操作レバーをプレート側に付勢させて第２操作レバーの被係合部にプレートの係合部を係合させた状態を保持する第２スプリングと、第１操作レバーに一端が接続された熱収縮性を有するワイヤーであって、熱収縮することにより第１操作レバーを駆動させる第１ワイヤーと、第２操作レバーに一端が接続された熱収縮性を有するワイヤーであって、熱収縮することにより第２操作レバーを駆動させる第２ワイヤーと、第１ワイヤーを熱収縮させて第１操作レバーを駆動させることにより、第１操作レバーでプレートを第１位置から第２位置へ移動させるように制御し、プレートが第２位置に位置するときには、第２ワイヤーを熱収縮させて第２操作レバーを駆動させることにより、第２操作レバーの被係合部にプレートの係合部を係合させた状態を解除して、第１スプリングの付勢力によりプレートを第２位置から第１位置へ移動させるように制御する制御装置と、を有する。
【０００９】
この態様によれば、プレートが第１位置に位置するときには、制御装置により第１ワイヤーを熱収縮させて、プレートを第１位置から第２位置へ移動させることができ、プレートが第２位置に位置するときには、制御装置により第２ワイヤーを熱収縮させて、プレートを第２位置から第１位置へ戻すことができる。これにより、ユーザが手動でシャッター機構を操作することなくシャッター機構の開閉を行うことができる。その結果、ユーザに操作上の煩わしさを与えることを解放したり、操作忘れを防止したりすることが可能になり、ユーザのプライバシーを十分に保護することができる。ひいては、電子機器を使用中のユーザが、ネットワークを介して第三者に盗撮されているのではないかという懸念も軽減できるだけでなく、電子機器を使用中のユーザが第三者から盗撮をしているという疑いをかけられているのではないかという懸念も軽減できるようになる。
【発明の効果】
【００１０】
本発明によれば、カメラを搭載した電子機器において、ユーザに操作上の煩わしさを与えることなく、ユーザのプライバシーを十分に保護することができる技術を提供することができる。
【図面の簡単な説明】
【００１１】
【図１】本実施形態に係るラップトップ（電子機器）を示す斜視図である。
【図２】本実施形態に係るラップトップのハードウェア構成を示すブロック図である。
【図３】本実施形態に係るラップトップの機能構成を示すブロック図である。
【図４】シャッター機構の構成を示す概略構成図である。
【図５】シャッター機構の動作を説明するための図である。
【図６】シャッター機構に並設されるロック機構の動作を説明するための図である。
【図７】シャッター機構の手動動作を説明するための図である。
【発明を実施するための形態】
【００１２】
添付図面を参照して、本発明の好適な実施形態について説明する。なお、各図において、同一の符号を付したものは、同一又は同様の構成を有する。
【００１３】
以下の実施形態は、本発明をラップトップに適用した例である。本発明は、ラップトップ以外にも、デスクトップ型コンピュータ、タブレット型コンピュータ又はスマートフォン等の種々の電子機器に適用可能である。
【００１４】
図１及び図２を参照して、本実施形態に係るラップトップ（電子機器）１の構成について説明する。図１は、ラップトップ１の外観を例示する斜視図である。図２は、ラップトップ１のハードウェア構成を例示する概略ブロック図である。
【００１５】
図１に示すように、ラップトップ１は、本体筐体１１と、本体筐体１１の端部にヒンジ接続されて本体筐体１１に対して開閉可能なカバー筐体３とを有している。また、起立したカバー筐体３の上端部には、不図示のカメラ６と、カメラ６のレンズを覆うシャッター機構１００と、が設けられている。
【００１６】
本体筐体１１は、扁平な箱形状を呈している。本体筐体１１の内部には、図示しない基板、後述する各種の電子デバイス等が収納されている。本体筐体１１の上面には、キーボード１１ａやタッチパット１１ｂ等のユーザからの入力を受け付ける入力装置が設けられている。なお、本体筐体１１とカバー筐体３とを総称して「筐体」という。
【００１７】
カバー筐体３は、樹脂材料により形成され、その内部に液晶ディスプレイ２等の電子部品を収容している。カバー筐体３は、閉状態においてキーボード１１ａ等を覆い、これらを保護する。また、カバー筐体３は、開状態において図１に示されるように起立し、キーボード１１ａ等を露出させる。以下、カバー筐体３が起立した状態において、カバー筐体３側からユーザ側に向かう方向を「前方」といい、カバー筐体３と対向するユーザから見て左右方向を「幅方向」という。
【００１８】
カバー筐体３は、ベゼル３１を有している。ベゼル３１は枠体であり、その枠内を介して液晶ディスプレイ２を露出させている。起立したカバー筐体３のベゼル３１の上端部（以下、「ベゼル３１の上端部」という）であって、幅方向の略中央部には、シャッター機構１００が配置されている。
【００１９】
なお、シャッター機構１００の配置は、図示の例に限定されず、ラップトップ１に搭載されるカメラ６のレンズの位置に応じて適宜変更することができる。
【００２０】
図２に示すように、ラップトップ１は、例えば、ＣＰＵ（プロセッサ）１２と、メモリ１３と、ＨＤＤ１４と、検出スイッチ１５と、カメラ６と、液晶ディスプレイ２とを備える。
【００２１】
ＣＰＵ１２は、算術論理演算ユニット及び各種レジスタ（プログラムカウンタ、データレジスタ、命令レジスタ又は汎用レジスタ等）から構成される。ＣＰＵ１２は、例えば、オペレーティングシステムプログラム、ドライバプログラム及びアプリケーションプログラム等（以下、総称して「各種プログラム」ともいう）を実行することで、所定の演算処理結果を出力し、後述するラップトップ１の制御部１１０の各種機能を実現する。ＣＰＵ１１２は、制御部１１０の一例である。
【００２２】
メモリ１３は、例えばＲＡＭ（Ｒａｎｄｏｍ  Ａｃｃｅｓｓ  Ｍｅｍｏｒｙ）等の記憶媒体である。メモリ１３は、ＣＰＵ１２によって実行される各種プログラムのプログラムコードや、各種プログラムの実行時に必要となるデータを一時的に記憶する。メモリ１３は、例えば、操作画面を液晶ディスプレイ２に表示するカメラアプリケーションを記憶する。操作画面とは、ユーザがカメラ６を操作するために液晶ディスプレイ２に表示される画面であり、例えば、カメラ６の明るさの設定、静止画若しくは動画モードの切り替え、又は撮影画像の縦横比の設定等のユーザからの操作入力を受け付けてカメラ６に反映させる。また、カメラアプリケーションとは、上記操作画面が受け付けた操作入力に応じてカメラ６を制御するアプリケーションプログラムである。
【００２３】
ＨＤＤ１４は、不揮発性の記憶媒体である。ＨＤＤ１４は、各種プログラムや各種データを記憶する。このようなプログラムやデータは、必要に応じてメモリ１３にロードされることにより、ＣＰＵ１２から参照される。
【００２４】
検出スイッチ１５は、カメラ６のレンズに対するシャッター機構１００の開閉状態を検出する。具体的には、検出スイッチ１５は、シャッター機構１００のプレート４０がカメラ６のレンズを覆う位置（閉状態の位置）と、シャッター機構１００のプレート４０がカメラ６のレンズを覆わない位置（開状態の位置）と、のいずれかに位置するかを検出する。以下、本明細書において、シャッター機構１００のプレート４０がカメラ６のレンズを覆う位置を「第１位置」と称し、シャッター機構１００のプレート４０がカメラ６のレンズを覆わない位置（言い換えれば、プレート４０がカメラ６のレンズを露出させる位置）を「第２位置」と称する。
【００２５】
カメラ６は、不図示のレンズ及びイメージセンサを有しており、受光して画像データを生成する撮影装置である。カメラ６は、不図示の基板に実装されている。
【００２６】
液晶ディスプレイ２は、ディスプレイの一例である。液晶ディスプレイ２は、カバー筐体３に配置され、キーボード１１ａやタッチパット１１ｂが受け付けた入力に基づき各種情報を表示する。詳細には、まず、不図示のグラフィックス・コントローラが、キーボード１１ａ等が受け付けた入力に基づいて所定の演算を行い、演算結果に対応する制御信号を液晶ディスプレイ２に送信する。液晶ディスプレイ２は、当該制御信号を受信し、映像や文字を表示する。
【００２７】
電力装置１８は、シャッター機構１００の第１ワイヤー９０ａ及び第２ワイヤー９０ｂに電気的に接続され、第１ワイヤー９０ａ及び第２ワイヤー９０ｂを熱収縮させるための装置である。電力装置１８は、第１ワイヤー９０ａ又は第２ワイヤー９０ｂを通電させる機能を備える装置が用いられるが、これに限定されない。すなわち、本実施形態における電力装置１８は、第１ワイヤー９０ａ又は第２ワイヤー９０ｂを熱収縮させることが可能な装置であれば良く、他の様々な装置を適用することが可能である。なお、電力装置１８から第１ワイヤー９０ａ又は第２ワイヤー９０ｂに流す電力量は、後述する制御部１１０によって制御される。
【００２８】
図３を参照して、ラップトップ１の機能構成について説明する。ラップトップ１の制御部１１０は、例えば、デバイス制御部１１１と、電力制御装置１１３とを備える。
【００２９】
デバイス制御部１１１は、シャッター機構１００のプレート４０が第１位置から第２位置に移動したことが検出スイッチ１５により検出された場合はカメラ６を起動させ、シャッター機構１００のプレート４０が第２位置から第１位置に移動したことが検出スイッチ１５により検出された場合はカメラ６を終了させる。このような構成によれば、シャッター機構１００が第１位置と第２位置との間を移動することで、カメラ６を起動させたり終了させたりすることができる。
【００３０】
なお、デバイス制御部１１１は、例えば、シャッター機構１００が第１位置から第２位置に移動したことが検出スイッチ１５により検出された場合はカメラ６を起動させるかの確認を行う確認画面を液晶ディスプレイ２に表示させてもよい。また、デバイス制御部１１１は、例えば、シャッター機構１００が第２位置から第１位置に移動したことが検出スイッチ１５により検出された場合はカメラ６を終了させるかの確認を行う確認画面を液晶ディスプレイ２に表示させてもよい。
【００３１】
上記構成によれば、シャッター機構１００のプレート４０を第２位置から第１位置に移動させてカメラ６のレンズを覆う状態にしたのにも関わらず、カメラ６は起動したままという状態を解消する。これにより、カメラ６の不必要な電力消費を低減することができる。また、上記構成によれば、シャッター機構１００のプレート４０を第１位置と第２位置との間で移動させた後、別途カメラ６を起動させたり終了させたりするための操作が不要または簡便となるため、プライバシーを保護しつつ利便性の高い電子機器を提供することができる。
【００３２】
図４を参照して、ベゼル３１の上端部の構成について説明する。図４（Ａ）は、シャッター機構１００の構成を示す斜視図である。図４（Ｂ）は、シャッター機構１００の構成を示す平面図である。
【００３３】
シャッター機構１００は、プレート４０と、第１スプリング５０と、第１操作レバー６０と、第２操作レバー７０と、第２スプリング８０と、第１ワイヤー９０ａと、第２ワイヤー９０ｂと、これらの部材を囲む枠体２００と、を備える。第１ワイヤー９０ａ及び第２ワイヤー９０ｂには電力装置１８（図２参照）が電気的に接続され、当該電力装置１８からの電力は制御部１１０（図３参照）によって制御される。枠体２００には開口２００ａが形成され、当該開口２００ａを介して不図示のカメラのレンズが露出する。
【００３４】
プレート４０は、カメラ６のレンズを覆う位置と覆わない位置とに移動可能な略平板形状を呈する部材である。プレート４０は、筐体に固定された突起４１（固定部材）を回転中心として、回動可能に配置されている。本実施形態では、プレート４０は、カメラ６のレンズの受光を遮蔽する第１位置から、カメラ６のレンズの受光を遮蔽しない第２位置まで、筐体に固定された突起６１を回転中心として回動する。プレート４０は、第１位置に移動したときにカメラ６のレンズの受光を遮蔽する遮蔽板４２と、第２位置に移動したときにカメラ６のレンズを露出させる開口部４３と、を有する。開口部４３は、カメラ６のレンズを露出させるように略円形状に開口した形状を有している。プレート４０が回動して開口部４３と枠体２００の開口２００ａとが重なる位置にきたときには、カメラ６のレンズを露出させることができるようになっている。プレート４０における第１スプリング５０の近傍の箇所に、厚さ方向に貫通形成された貫通孔４５が形成され、当該貫通孔４５に第１スプリング５０が係合される。
【００３５】
第１スプリング５０は、プレート４０を第２位置から第１位置に戻す付勢力を発生する弾性部材（例えば所定のばね係数を持つスプリング）である。第１スプリング５０は、一端側が筐体に固定配置された突起５１に巻回されるとともに他端側がプレート４０の貫通孔４５に係合されている。このように一端側が筐体に固定された第１スプリング５０は、第１位置から第２位置へプレート４０が移動するに伴い伸長して第１位置に戻す方向へ付勢力を発生する。後述するように、プレート４０が第２位置へ移動し、当該第２位置から第１位置へプレート４０を戻す際に、第１スプリング５０は蓄積した付勢力を解放し、当該付勢力によりプレート４０を第２位置から第１位置へ移動させる。
【００３６】
第１操作レバー６０は、第１ワイヤー９０ａの熱収縮に伴い駆動してプレート４０を押圧し、プレート４０を所定位置まで移動させるための駆動部材である。第１操作レバー６０は、プレート４０が第１位置に位置するときに、その一部がプレート４０の一端側に当接した状態で配置されている。詳細には、第１操作レバー６０は、図４（Ｂ）に示すように、プレート４０における開口部４３の周囲を略環状に覆う環状部４３ａの一部に沿って配置されている。第１操作レバー６０は、その一端側が筐体に固定配置された突起６１（固定部材）に嵌合され、当該突起６１を回転中心として回動可能に構成されている。第１操作レバー６０には、熱収縮性を有する第１ワイヤー９０ａを引っ掛けて保持するための係止部６２が設けられている。後述するように、第１ワイヤー９０ａが熱収縮してその長さが変化すると、第１操作レバー６０は、第１ワイヤー９０ａに引っ張られて突起６１を回転中心として時計回りに回動し、当該第１操作レバー６０の回動によりプレート４０が移動する。本実施形態では、第１操作レバー６０は、プレート４０を押圧して第１位置から第２位置まで移動させるように回動する。
【００３７】
第２操作レバー７０は、第２スプリング８０の付勢力によりプレート４０側に押圧されてプレート４０を所定位置に保持するための駆動部材である。第２操作レバー７０は、プレート４０を介して第１操作レバー６０とは反対側に配置され、その一部がプレート４０の他端側（図４（Ｂ）では、プレート４０の右側）に当接した状態で配置される。第２操作レバー７０は、筐体に固定配置された突起７１に嵌合され、当該突起７１を回転中心として回動可能に構成されている。
【００３８】
第２操作レバー７０におけるプレート４０側と反対側には、第２スプリング８０が係合する切欠部７２が形成されている。第２操作レバー７０は、プレート４０が第１位置にあるときに、切欠部７２に係合された第２スプリング８０によりプレート４０側に付勢され、第２操作レバー７０の内縁７３がプレート４０の遮蔽板４２の外縁に圧接される。前述したように、プレート４０が第１位置にあるときには、プレート４０の一端側を支持するように第１操作レバー６０が配置されているため、プレート４０は、第１操作レバー６０の内縁６３と第２操作レバー７０の内縁７３とで挟持されて保持される。
【００３９】
第２操作レバー７０は、第１操作レバー６０の駆動と連動して駆動するように構成されている。詳細には、第２操作レバー７０をプレート４０側に付勢する第２スプリング８０の付勢力に抗して、第１操作レバー６０によりプレート４０が押圧されて移動すると、そのプレート４０の移動に連動して第２操作レバー７０が駆動する。前述したように、第２操作レバー７０は突起７１を回転中心として回動するように構成されているため、プレート４０が第１位置から移動するに伴い、第２操作レバー７０は突起７１を回転中心として反時計周りに回動する。プレート４０が第１位置から移動し、第２位置に到達したときには、第２スプリング８０の付勢力により第２操作レバー７０がプレート４０側に付勢されて、プレート４０の係合部４６に、第２操作レバー７０の被係合部７４が係合される。なお、プレート４０の係合部４６は、遮蔽板４２と開口部４３との間に位置する凹形状を呈する部分であり、当該凹形状を呈する係合部４６と対応するように、第２操作レバー７０の被係合部７４は凸形状を呈している。
【００４０】
第２操作レバー７０には、熱収縮性を有する第２ワイヤー９０ｂを引っ掛けて保持するための係止部７６が設けられている。プレート４０が第２位置に位置するときに、第２ワイヤー９０ｂが熱収縮してその長手方向の長さが変化すると、第２操作レバー７０は、突起７１を回転中心として時計回りに回動し、第２操作レバー７０の被係合部７４にプレート４０の係合部４６が係合された状態が解除される。当該係合が解除されると、第１スプリング５０の付勢力によりプレート４０は第２位置から第１位置へ移動する。
【００４１】
第２スプリング８０は、第２操作レバー７０に付勢力を付与してプレート４０を所定位置に保持するための弾性部材（例えば所定のばね係数を持つスプリング）である。第２スプリング８０は、一端側が筐体に固定配置された突起８１に接続されると共に、他端側が第２操作レバー７０の切欠部７２に係合され、第２操作レバー７０をプレート４０側に付勢する。本実施形態において、第２スプリング８０は、プレート４０が第１位置に位置するときには、第２操作レバー７０をプレート４０側に付勢させて、第２操作レバー７０の内縁７３を遮蔽板４２の外縁に圧接させてプレート４０を第１位置に保持する。また第２スプリング８０は、プレート４０が第１位置から移動するに伴い弾性変形して付勢力を蓄積し、第２位置にプレート４０が到達したときに、当該蓄積した付勢力を解放し、第２操作レバー７０をプレート４０側に付勢させてプレート４０の係合部４６に第２操作レバー７０の被係合部７４を係合させてプレート４０を第２位置に保持する。
【００４２】
第１ワイヤー９０ａは、筐体の一部分（図示略）と第１操作レバー６０との間に架け渡されるワイヤーである。第１ワイヤー９０ａは、熱収縮性を有する材料から構成されている。本実施形態では、第１ワイヤー９０ａは、第１操作レバー６０の係止部６２に引っ掛けられ、第１ワイヤー９０ａがその長さ方向に熱収縮することにより、第１操作レバー６０が突起６１を回転中心として回転駆動するように構成されている。
【００４３】
第２ワイヤー９０ｂは、筐体の一部分（図示略）と第２操作レバー７０との間に架け渡されるワイヤーである。第２ワイヤー９０ｂは、熱収縮性を有する材料から構成されている。本実施形態では、第２ワイヤー９０ｂが第２操作レバー７０の係止部７６に引っ掛けられ、第２ワイヤー９０ｂがその長さ方向に熱収縮することにより、第２操作レバー７０が突起７１を回転中心として回転駆動するように構成されている。
【００４４】
なお、第１ワイヤー９０ａ及び第２ワイヤー９０ｂは、導電性且つ熱収縮性を有する材料が用いられるが、この例に限定されない。例えば、第１ワイヤー９０ａ及び第２ワイヤー９０ｂは、外部からのエネルギー入力（例えば、電気的、光学的、熱的エネルギー等）に応じて変形する適宜の素材を用いることができる。このような素材には、例えば形状記憶合金等を用いることができる。
【００４５】
前述したように、電力装置１８（図２）は、第１ワイヤー９０ａ又は第２ワイヤー９０ｂに電気的に接続され、電力装置１８からの電力により第１ワイヤー９０ａ又は第２ワイヤー９０ｂが熱収縮する。電力装置１８から第１ワイヤー９０ａ又は第２ワイヤー９０ｂに流す電力量は、電力制御装置１１３（図３）によって制御される。
【００４６】
なお、本実施形態では、プレート４０を、カメラ６のレンズを露出させる位置からカメラ６のレンズを覆う位置（すなわち、第２位置から第１位置）に、手動で移動させるためのプッシュ機構を設けてもよい。プッシュ機構は、図４に示すように、プッシュボタン１２０と、板状部材１２１ａ、１２１ｂとを備える。板状部材１２１ａ、１２１ｂは、プッシュボタン１２０の下方側に連結され、プッシュボタン１２０を押すことにより、板状部材１２１ａ、１２１ｂの下端が枠体２００の面に沿って水平方向にスライド移動するように構成されている。プッシュボタン１２０を図４に示す矢印Ｐの方向へ押すことにより、板状部材１２１ａの下端が図４に示す矢印Ｌの方向へスライド移動し、板状部材１２１ｂの下端が図４に示す矢印Ｒの方向へスライド移動する。本実施形態では、板状部材１２１ａの下端がスライド移動したときに、板状部材１２１ａの先端が第１操作レバー６０に当接し、第１操作レバー６０が突起６１を回転中心として反時計周りに回動するように構成されている。また、板状部材１２１ｂの下端がスライド移動したときに、板状部材１２１ｂの先端が第２操作レバー７０に当接し、第２操作レバー７０が突起７１を回転中心として反時計周りに回動するように構成されている。このように、プッシュボタン１２０を操作することで、第１操作レバー６０及び第２操作レバー７０を回動させることができ、プレート４０が第２位置に位置するときに、第２操作レバー７０の被係合部７４にプレート４０の係合部４６を係合させた状態を解除することができる。当該係合が解除されることにより、プレート４０は、第１スプリング５０の付勢力により第２位置から第１位置に戻す方向へ付勢され、プレート４０が第１位置に移動する。
【００４７】
続いて、前述した構成を備えるシャッター機構１００の動作について説明する。図５は、シャッター機構１００におけるプレート４０を第１位置から第２位置に移動させる過程を示す概略平面図である。
【００４８】
図５（Ａ）は、プレート４０が第１位置に位置する状態を示す平面図である。図５（Ｂ）は、プレート４０が第１位置から所定距離移動した状態を示す平面図である。図５（Ｃ）は、プレート４０が第２位置に位置する状態を示す平面図である。図５（Ｄ）は、プレート４０が第２位置に位置するときに、第２操作レバーの被係合部にプレートの係合部を係合させた状態を解除する様子を示す平面図である。
【００４９】
図５（Ａ）に示すように、プレート４０が第１位置に位置するときには、プレート４０の一端側（図５（Ａ）では左側）に、第１操作レバー６０の内縁６３が当接した状態で配置され、プレート４０の他端側（図５（Ａ）では右側）に、第２操作レバー７０の内縁７３が当接した状態で配置される。前述したように、第２操作レバー７０は、第２スプリング８０の付勢力によりプレート４０側に付勢されているため、第１操作レバー６０の内縁６３と第２操作レバー７０の内縁７３との間でプレート４０が挟持された状態で保持される。
【００５０】
図５（Ａ）に示す第１位置の状態から、電力制御装置１１３により電力装置１８から第１ワイヤー９０ａに通電させる電力量が制御されると、第１ワイヤー９０ａが熱収縮し、第１操作レバー６０が回転駆動する。詳細には、図５（Ｂ）に示すように、第１操作レバー６０の係止部６２に引っ掛けられた第１ワイヤー９０ａが熱収縮すると、第１操作レバー６０は、筐体に固定された突起６１を回転中心として反時計回りに回動する。すると、第１操作レバー６０によりプレート４０が押圧され、第２操作レバー７０をプレート４０側に付勢する第２スプリング８０の付勢力に抗してプレート４０が移動する。このプレート４０の移動に伴い、第２スプリング８０は弾性変形して第２操作レバー７０をプレート４０側へ付勢する付勢力を蓄積する。
【００５１】
図５（Ｂ）に示す状態から、第１操作レバー６０によりプレート４０が押圧されて移動すると、プレート４０の開口部４３が枠体２００の開口部２００ａと重なる位置、すなわち、図５（Ｃ）に示す第２位置にプレート４０が移動する。プレート４０は第２位置に移動したときに、第２スプリング８０の付勢力により第２操作レバー７０をプレート４０側に付勢させて第２操作レバー７０の被係合部７４に、プレート４０の係合部４６を係合させる。このように、第２スプリング８０の付勢力により第２操作レバー７０をプレート４０側に付勢させて被係合部７４に係合部４６を係合させることで、プレート４０が第２位置に保持される。なお、プレート４０が第２位置に位置するときには、第２操作レバー７０における円弧状に形成された内縁７５が遮蔽板４２の外縁に当接した状態で保持される。
【００５２】
図５（Ｃ）に示す状態から、電力制御装置１１３により電力装置１８から第２ワイヤー９０ｂに通電させる電力量が制御されると、第２ワイヤー９０ｂが熱収縮し、第２操作レバー７０が回転駆動する。詳細には、図５（Ｄ）に示すように、第２操作レバー７０の係止部７６に引っ掛けられた第２ワイヤー９０ｂが熱収縮すると、第２操作レバー７０は、筐体に固定された突起７１を回転中心として反時計回りに回動する。すると、第２操作レバー７０の被係合部７４に、プレート４０の係合部４６を係合させた状態が解除され、プレート４０は、第１スプリング５０の付勢力により第２位置から第１位置（図５（Ａ））へ戻す方向に付勢される。
【００５３】
以上のように、電力制御装置１１３によって第１ワイヤー９０ａ又は第２ワイヤー９０ｂに通電させる電力量を制御することにより、第１位置と第２位置との間でプレート４０を移動させることができる。
【００５４】
以上説明した、シャッター機構１００において、第２操作レバー７０の駆動を規制するロック機構を設けてもよい。具体的には、図６に示すように、ロックレバー３００と、当該ロックレバー３００と第２操作レバー７０との間に架け渡される棒状部材３２０とを備えたロック機構を、シャッター機構１００に並設させてもよい。ロックレバー３００は、その一端部が枠体２００よりも上方側に突出し、その他端部が棒状部材３２０を介して第２操作レバー７０に連結されている。棒状部材３２０は、例えば、第２操作レバー７０に形成された突起７８と、ロックレバー３００に形成された突起３１１との間を連結する。ロックレバー３００は、その略中央部下方側に位置する突起３１０に嵌合されており、当該突起３１０を回転中心として図６に示す実線と破線との間で揺動可能に構成されている。ロックレバー３００が図６に示す破線に位置するときには、第２操作レバー７０の駆動は規制されず、ロックレバー３００が図６に示す実線に位置するときには、第２操作レバー７０の下端側（第２操作レバー７０における棒状部材３２０に連結された部分）がロックレバー３００側に移動した状態で保持され、第２操作レバー７０の駆動が規制される。このように、第２操作レバー７０の下端側がロックレバー３００側に移動した状態で保持されると、第２操作レバー７０の被係合部７４に、プレート４０の係合部４６を係合させることができなくなる。これにより、図６に示すように、プレート４０が第２位置に移動したときでも、プレート４０は、第２操作レバー７０及び第２スプリング８０で第２位置に保持されず、第１スプリング５０の付勢力により第１位置に戻されることとなる。
【００５５】
以上説明した、シャッター機構１００において、プッシュボタン１２０を押すことにより、第２位置から第１位置へ手動でプレート４０を戻すようにしてもよい。第２位置から第１位置へ手動でプレート４０を戻す動作について図７を参照しながら説明する。
【００５６】
図７（Ａ）に示すように、プレート４０が第２位置に位置するときに、第１操作レバー６０と第２操作レバー７０との間であってプレート４０の下方側に位置するプッシュボタン１２０を押すことにより、プッシュボタン１２０の下方側に連結された板状部材１２１ａは左側（図７（Ｂ）に示す矢印Ｌ方向）、板状部材１２１ｂは右側（図７（Ｂ）に示す矢印Ｒ方向）にそれぞれ拡がるようにスライドする。板状部材１２１ａの下端が水平方向にスライド移動することにより（言い換えれば、板状部材１２１ａが水平方向に突出することにより）、板状部材１２１ａの先端が第１操作レバー６０に当接し、第１操作レバー６０が突起６１を回転中心として反時計周りに回転駆動する。また、板状部材１２１ｂの下端が水平方向にスライド移動することにより（言い換えれば、板状部材１２１ｂが水平方向に突出することにより）、板状部材１２１ｂの先端が第２操作レバー７０に当接し、第２操作レバー７０が突起７１を回転中心として反時計周りに回転駆動する。第２操作レバー７０が突起７１を回転中心として反時計周りに回転駆動すると、図７（Ｂ）に示すように、第２操作レバー７０の被係合部７４に、プレート４０の係合部４６が係合された状態が解除される。すると、プレート４０は、第２操作レバー７０及び第２スプリング８０で第２位置に保持されず、図７（Ｃ）に示すように、第１スプリング５０の付勢力により第１位置に戻されることとなる。
【００５７】
上記構成によれば、ラップトップ１の電源がＯＦＦ状態の場合でも、プッシュボタン１２０を操作することにより、シャッター機構１００を強制的に閉じる（すなわち、プレート４０を第１位置に移動させる）ことができる。例えば、制御部１１０による制御によってシャッター機構１００を開ける（すなわち、プレート４０を第２位置に移動させる）動作をしている際に、前述したプッシュボタン１２０を操作した場合、プッシュボタン１２０の操作によるシャッター機構１００を閉じることを優先させるように設定してもよい。このように手動動作を優先させるように設定することで、ユーザの判断によりいつでもシャッター機構１００を強制的に閉じることができる。
【００５８】
以上説明した実施形態において、ラップトップ１の起動時に、カメラ６のレンズに対するシャッター機構１００の開閉状態を検出する検出スイッチ１５によりプレート４０が第１位置にあると検出されたときには、制御部１１０は、電力装置１８から第１ワイヤー９０ａに通電させる電力量を制御してもよい。
【００５９】
上記構成によれば、ラップトップ１の起動時に、手動でシャッター機構１００を開状態にすることなく、カメラ６のレンズの受光を遮蔽しない第２位置にプレート４０を移動させることができる。
【００６０】
また以上説明した実施形態において、ラップトップ１の終了時に、検出スイッチ１５によりプレート４０が第２位置にあると検出されたときには、制御部１１０は、電力装置１８から第２ワイヤー９０ｂに通電させる電力量を制御してもよい。
【００６１】
上記構成によれば、ラップトップ１の終了時に、手動でシャッター機構１００を閉状態にすることなく、カメラ６のレンズの受光を遮蔽する第１位置にプレート４０を移動させることができる。
【００６２】
また以上説明した実施形態において、カメラ６の起動時に、検出スイッチ１５によりプレート４０が第１位置にあると検出されたときには、制御部１１０は、電力装置１８から第１ワイヤー９０ａに通電させる電力量を制御してもよい。また、カメラ６の終了時に、検出スイッチ１５によりプレート４０が第２位置にあると検出されたときには、制御部１１０は、電力装置１８から第２ワイヤー９０ｂに通電させる電力量を制御してもよい。
【００６３】
上記構成によれば、カメラ６の起動時に、手動でシャッター機構１００を開状態にすることなく、カメラ６のレンズの受光を遮蔽しない第２位置にプレート４０を移動させることができる。また、カメラ６の終了時に、手動でシャッター機構１００を閉状態にすることなく、カメラ６のレンズの受光を遮蔽する第１位置にプレート４０を移動させることができる。
【００６４】
以上説明した実施形態において、プレート４０を回動させる構成としているが、プレート４０を第１位置又は第２位置に保持することが可能であれば、例えば、プレート４０をスライド移動させる構成としてもよい。第１操作レバー６０、第２操作レバー７０についても同様に、回動させる構成に限定されない。
【００６５】
以上説明した実施形態では、ラップトップ１にシャッター機構１００を適用した例を説明したが、前述したようにその他の電子機器（例えばスマートフォン等）に適用することができる。カメラを搭載したラップトップ１にシャッター機構１００を適用した場合には、ラップトップ１を使用中のユーザが、ネットワークを介して第三者に盗撮されているのではないかという懸念を軽減することができ、カメラを搭載した例えばスマートフォンの背面側にシャッター機構１００を適用した場合には、スマートフォンを使用中のユーザが第三者から盗撮をしているという疑いをかけられているのではないかという懸念も軽減することができる。
【００６６】
以上説明した実施形態は、本発明の理解を容易にするためのものであり、本発明を限定して解釈するためのものではない。実施形態で説明したフローチャート、シーケンス、実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００６７】
１…ラップトップ、２…液晶ディスプレイ、６…カメラ、１５…検出スイッチ（検出装置）、４０…プレート、５０…第１スプリング、６０…第１操作レバー、７０…第２操作レバー、８０…第２スプリング、９０ａ…第１ワイヤー、９０ｂ…第２ワイヤー、１００…シャッター機構、１１０…制御部
【図１】
2020112627.tif 000003
【図２】
2020112627.tif 000004
【図３】
2020112627.tif 000005
【図４】
2020112627.tif 000006
【図５】
2020112627.tif 000007
【図６】
2020112627.tif 000008
【図７】
2020112627.tif 000009